(57)【要約】      （修正有）【課題】超高周波信号伝送用同軸ケーブル雄コネクタを提供する。【解決手段】本発明は、超高周波信号伝送用同軸ケーブルコネクタに適用される雄コネクタに関するものであって、その超高周波信号伝送用同軸ケーブル雄コネクタは、印刷回路基板（ＰＣＢ）に設けられたコネクタソケットに収容されて、各同軸ケーブル３０の外皮２４０、外部導体２３０及び誘電体２２０が剥がれて、所定長さの内部導体２１０が露出された内部導体２１０の端子は、ＰＣＢに形成された信号線端子パッドと直接電気的に接触する単数または複数の同軸ケーブル３０の露出された内部導体２１０を収容し、露出された同軸ケーブル内部導体端部を固定させ、保護し、複数の同軸ケーブル３０の内部導体２１０を通じて発生する電磁波を遮蔽する遮蔽缶を含み、遮蔽缶の底面にＰＣＢに形成された信号線端子パッドと直接接触する同軸ケーブル内部導体端子が形成されている。【選択図】図７
2020205255.tif 000002
【特許請求の範囲】
【請求項１】
印刷回路基板（ＰＣＢ）に設けられたコネクタソケットに収容されて、単数または複数の同軸ケーブルと印刷回路基板（ＰＣＢ）とを連結する超高周波信号伝送用同軸ケーブル雄コネクタにおいて、
各同軸ケーブルの外皮、外部導体及び誘電体が剥がれて、所定長さの内部導体が露出され、前記露出された内部導体の端子は、前記ＰＣＢに形成された信号線端子パッドと電気的に接触する単数または複数の同軸ケーブルと、
前記単数または複数の同軸ケーブルの露出された内部導体を収容し、前記露出された同軸ケーブル内部導体端部を固定させ、保護し、前記複数の同軸ケーブルの内部導体を通じて発生する電磁波を遮蔽する遮蔽缶と、を含み、
前記遮蔽缶の底面に前記ＰＣＢに形成された信号線端子パッドと電気的に接触する同軸ケーブル内部導体端子が形成されていることを特徴とする超高周波信号伝送用同軸ケーブル雄コネクタ。
【請求項２】
前記遮蔽缶は、
前記同軸ケーブルの外部導体と連結され、
各同軸ケーブルの露出された内部導体が収容される内部導体収容部を備え、
前記内部導体収容部は、前記露出された内部導体を収容するが、各同軸ケーブルの露出された内部導体は、内部導体収容部と結合され、該結合された同軸ケーブルマルチコネクタは、アダプタ収容部と結合されてＰＣＢに載置された時、電気的遮蔽がなされることを特徴とする請求項１に記載の超高周波信号伝送用同軸ケーブル雄コネクタ。
【請求項３】
前記同軸ケーブルの内部導体端子をＰＣＢに形成された信号線端子パッドと容易に接触させるために、一端は、前記同軸ケーブルの露出された内部導体と連結され、他端は、前記ＰＣＢに形成された回路信号線端子パッドと連結されるアダプタをさらに備え、
前記アダプタを通じて同軸ケーブルの内部端子は、前記ＰＣＢに形成されている回路信号線端子パッドと連結されることを特徴とする請求項１に記載の超高周波信号伝送用同軸ケーブル雄コネクタ。
【請求項４】
前記遮蔽缶は、
複数の同軸ケーブルの露出された内部導体とそれぞれ対応して連結された複数のアダプタが収容されるアダプタ収容部を備え、前記アダプタ収容部は、前記複数のアダプタを収容するが、アダプタ別に遮蔽される形状からなることを特徴とする請求項３に記載の超高周波信号伝送用同軸ケーブル雄コネクタ。
【請求項５】
前記遮蔽缶は、前記同軸ケーブルの外部導体と連結され、
前記コネクタソケットは、前記遮蔽缶を収容し、前記遮蔽缶と前記印刷回路基板の接地と電気的に連結されて、前記複数の同軸ケーブルの露出された内部導体とアダプタのそれぞれは、電気的遮蔽がなされることを特徴とする請求項３に記載の超高周波信号伝送用同軸ケーブル雄コネクタ。
【請求項６】
前記遮蔽缶は、
前記遮蔽缶の下部に位置し、前記同軸ケーブルの露出された内部導体を収容し、前記露出された内部導体端部が位置する下部遮蔽部材と、
前記下部遮蔽部材に収容された同軸ケーブルの露出された内部導体を覆う上部遮蔽部材と、
前記遮蔽缶の前面に位置し、前記下部遮蔽部材及び上部遮蔽部材と結合して、前記同軸ケーブルの露出された内部導体を遮蔽する前面遮蔽部材と、
を含むことを特徴とする請求項１に記載の超高周波信号伝送用同軸ケーブル雄コネクタ。
【請求項７】
前記遮蔽缶は、
遮蔽缶の下部に位置し、前記同軸ケーブルの露出された内部導体を収容し、前記同軸ケーブルの露出された内部導体の端部が位置する第１遮蔽部材と、
前記第１遮蔽部材と結合して、前記同軸ケーブルの露出された内部導体を遮蔽する第２遮蔽部材と、
を含むことを特徴とする請求項１に記載の超高周波信号伝送用同軸ケーブル雄コネクタ。
【請求項８】
前記遮蔽缶は、
前記遮蔽缶の上部、下部及び前面が一体に形成され、前記同軸ケーブルの露出された内部導体を遮蔽し、底面に前記同軸ケーブルの露出された内部導体の端部が位置する遮蔽部材であることを特徴とする請求項１に記載の超高周波信号伝送用同軸ケーブル雄コネクタ。
【発明の詳細な説明】
【技術分野】
【０００１】
本発明は、コネクタに係り、特に、信号線である同軸ケーブルの内部導体が印刷回路基板の回路信号線パッドと直接連結されるＰＣＢマルチコネクタの雄（ｍａｌｅ）コネクタである超高周波信号伝送用同軸ケーブル雄コネクタに関する。
【背景技術】
【０００２】
図１は、従来のＰＣＢ単一またはマルチコネクタの断面図を示したものである。従来のＰＣＢ単一またはマルチコネクタは、ケーブル（ｃａｂｌｅ）、ワイヤ（ｗｉｒｅ）のような電気信号を伝達する電気信号線１１４の端子が雄コネクタハウジング１１２によって覆われてなされる雄コネクタ１１０がＰＣＢ１６０上に設けられた（ｍｏｕｎｔｅｄ）雌（ｆｅｍａｌｅ）コネクタ（または、ソケット）１５０に挿入されて連結される。この際、雌コネクタ１５０の雌コネクタハウジング１５２には、雄コネクタの端子やピン（ｐｉｎ）が収容される収容部材１５４が設けられている。前記収容部材１５４を通じて漏れ電流及びノイズが発生し、これにより、信号損失があり、コネクタの小型化にも限界がある。
【発明の概要】
【発明が解決しようとする課題】
【０００３】
本発明が解決しようとする課題は、前述した従来の単一またはマルチコネクタの問題点と限界とを解決するために案出されたものであって、雌コネクタには、雄コネクタハウジングのみ収容するハウジングソケットのみＰＣＢに設けられており、雄コネクタの同軸ケーブル端子を収容する端子収容部材がなしに雄コネクタの同軸ケーブル端子がＰＣＢの端子パッド（ｔｅｒｍｉｎａｌ  ｐａｄ）に直接接触するＰＣＢマルチコネクタで単数または複数の超高周波信号線である同軸ケーブルの内部導体がＰＣＢの回路信号線パッドと直接接触することにより、信号損失を最小化し、コネクタの高さを大幅に低くして小型化をなしうる超高周波信号伝送用同軸ケーブル雄コネクタを提供するところにある。
【課題を解決するための手段】
【０００４】
前記技術的課題を果たすための本発明による超高周波信号伝送用同軸ケーブル雄コネクタは、印刷回路基板（ＰＣＢ）に設けられたコネクタソケットに収容されて、単数または複数の同軸ケーブルと印刷回路基板（ＰＣＢ）とを連結する超高周波信号伝送用同軸ケーブル雄コネクタにおいて、各同軸ケーブルの外皮、外部導体及び誘電体が剥がれて、所定長さの内部導体が露出され、前記露出された内部導体の端子は、前記ＰＣＢに形成された信号線端子パッドと電気的に接触する単数または複数の同軸ケーブル；及び前記単数または複数の同軸ケーブルの露出された内部導体を収容し、前記露出された同軸ケーブル内部導体端部を固定させ、保護し、前記複数の同軸ケーブルの内部導体を通じて発生する電磁波を遮蔽する遮蔽缶（ｓｈｉｅｌｄｉｎｇ  ｃａｎ）；を含み、前記遮蔽缶の底面に前記ＰＣＢに形成された信号線端子パッドと電気的に接触する同軸ケーブル内部導体端子が形成されている。前記遮蔽缶は、前記同軸ケーブルの外部導体と連結され、各同軸ケーブルの露出された内部導体が収容される内部導体収容部を備え、前記内部導体収容部は、前記露出された内部導体を収容するが、各同軸ケーブルの露出された内部導体は、内部導体収容部と結合され、該結合された同軸ケーブルマルチコネクタは、アダプタ収容部と結合されてＰＣＢに載置された時、電気的遮蔽がなされる。
【０００５】
本発明による超高周波信号伝送用同軸ケーブル雄コネクタは、前記同軸ケーブルの内部導体端子をＰＣＢに形成された信号線端子パッドと容易に接触させるために、一端は、前記同軸ケーブルの露出された内部導体と連結され、他端は、前記ＰＣＢに形成された回路信号線端子パッドと連結されるアダプタをさらに備え、前記アダプタを通じて同軸ケーブルの内部端子は、前記ＰＣＢに形成されている回路信号線端子パッドと連結される。前記遮蔽缶は、複数の同軸ケーブルの露出された内部導体とそれぞれ対応して連結された複数のアダプタが収容されるアダプタ収容部を備え、前記アダプタ収容部は、前記複数のアダプタを収容するが、アダプタ別に遮蔽される形状からなる。前記遮蔽缶は、また、前記遮蔽缶の下部に位置し、前記同軸ケーブルの露出された内部導体を収容し、前記露出された内部導体端部が位置する下部遮蔽部材；前記下部遮蔽部材に収容された同軸ケーブルの露出された内部導体を覆う上部遮蔽部材；前記遮蔽缶の前面に位置し、前記下部遮蔽部材及び上部遮蔽部材と結合して、前記同軸ケーブルの露出された内部導体を遮蔽する前面遮蔽部材；を含む。前記遮蔽缶は、遮蔽缶の下部に位置し、前記同軸ケーブルの露出された内部導体を収容し、前記同軸ケーブルの露出された内部導体の端部が位置する第１遮蔽部材；及び前記第１遮蔽部材と結合して、前記同軸ケーブルの露出された内部導体を遮蔽する第２遮蔽部材；を含みうる。前記遮蔽缶は、前記遮蔽缶の上部、下部及び前面が一体に形成され、前記同軸ケーブルの露出された内部導体を遮蔽し、底面に前記同軸ケーブルの露出された内部導体の端部が位置する遮蔽部材であることを特徴とする。
【発明の効果】
【０００６】
本発明による超高周波信号伝送用同軸ケーブル雄コネクタによれば、雄コネクタに該当する本発明による同軸ケーブルマルチコネクタが同軸ケーブル内部導体端子を収容する収容部材のないコネクタソケットに挿入及び締結されて、同軸ケーブルマルチコネクタの信号線端子が印刷回路基板の信号線端子パッドに直接接触するか、同軸ケーブルマルチコネクタの信号線端子がＰＣＢの回路信号線端子パッドとの接触を容易にするアダプタを追加することにより、漏れ電流を最小化して、信号損失を減らし、コネクタの締結高さを最小化して小型化をなしうる。
【０００７】
そして、雄コネクタに連結された同軸ケーブルの遮蔽（ｓｈｉｅｌｄｉｎｇ）層である外部導体と内部導体とを電磁波を遮蔽する遮蔽缶を連結し、ＰＣＢに実装されて接地と連結されたコネクタソケットが、前記同軸ケーブルマルチコネクタの遮蔽缶を収容して接続させ、電気的に連結することにより、ＰＣＢ回路信号線端子パッドと直接接触された雄コネクタに該当する本発明による同軸ケーブルマルチコネクタの信号端子の信号損失を減らしうる。
【図面の簡単な説明】
【０００８】
【図１】従来のＰＣＢマルチコネクタを側断面図で示した図面である。
【図２】本発明が適用される超高周波信号伝送用同軸ケーブルコネクタの一例であって、本発明による超高周波信号伝送用同軸ケーブル雄コネクタとＰＣＢに実装されたコネクタソケットとが締結される前の状態を示した図面である。
【図３】本発明が適用される超高周波信号伝送用同軸ケーブルコネクタの一例であって、本発明による超高周波信号伝送用同軸ケーブル雄コネクタとＰＣＢに実装されたコネクタソケットとが締結された後の状態を示した図面である。
【図４】本発明による超高周波信号伝送用同軸ケーブル雄コネクタとコネクタソケットとを底面から見た底面斜視図である。
【図５】本発明が適用される超高周波信号伝送用同軸ケーブルコネクタのコネクタソケットの一例の分離斜視図である。
【図６】本発明による超高周波信号伝送用同軸ケーブル雄コネクタに連結される複数の同軸ケーブルの一例を示した図面である。
【図７】本発明による超高周波信号伝送用同軸ケーブル雄コネクタを構成するエレメント（ｅｌｅｍｅｎｔｓ）の一例を示した図面である。
【図８】図２に示された本発明による超高周波信号伝送用同軸ケーブル雄コネクタのＶＩＩ−ＶＩＩ線に沿って見た断面図である。
【図９】図２に示された本発明による超高周波信号伝送用同軸ケーブル雄コネクタのＶＩＩＩ−ＶＩＩＩ線に沿って見た断面図である。
【図１０】本発明による超高周波信号伝送用同軸ケーブル雄コネクタの遮蔽缶が３つの部品（３  ｐｉｅｃｅｓ）からなる第１実施形態を組み立てる過程を示している。
【図１１】本発明による超高周波信号伝送用同軸ケーブル雄コネクタの遮蔽缶が２つの部品（２  ｐｉｅｃｅｓ）からなる第２実施形態を組み立てる過程を示している。
【図１２】本発明による超高周波信号伝送用同軸ケーブル雄コネクタの遮蔽缶が一対（１  ｐｉｅｃｅ）に形成された第３実施形態を組み立てる過程を示している。
【発明を実施するための形態】
【０００９】
以下、添付図面を参照して、本発明の望ましい実施形態を詳しく説明する。本明細書に記載された実施形態と図面とに示された構成は、本発明の望ましい一実施形態に過ぎず、本発明の技術的思想をいずれも代弁するものではないので、本出願時点において、これらを代替しうる多様な均等物と変形例とがあるということを理解しなければならない。
【００１０】
本発明が適用される超高周波信号伝送用同軸ケーブルコネクタは、電気信号を伝達する複数の同軸ケーブル内部導体と印刷回路基板（ＰＣＢ）とを連結するＰＣＢコネクタであって、雄コネクタ及びコネクタソケットを含んでなる。
【００１１】
図２は、本発明が適用される超高周波信号伝送用同軸ケーブルコネクタの一例であって、本発明による超高周波信号伝送用同軸ケーブル雄コネクタ２０とＰＣＢ２１５に実装されたコネクタソケット２２５とが締結される前の状態を示したものである。図３は、本発明が適用される超高周波信号伝送用同軸ケーブルコネクタの一例であって、本発明による超高周波信号伝送用同軸ケーブル雄コネクタ２０とＰＣＢ２１５に実装されたコネクタソケット２２５とが締結された後の状態を示したものである。図２と図３とを参照すれば、同軸ケーブル２４０と連結された同軸ケーブルマルチコネクタのハウジング２７０、２８０、２９０が、ＰＣＢ２１５に実装されたコネクタソケット２２５に挿入されて締結される。この際、ＰＣＢ２１５の回路信号線端子と同軸ケーブル２４０の内部導体の連結は、本発明による同軸ケーブル内部コネクタの底面に形成された同軸ケーブル内部導体端子とＰＣＢ２１５に形成された回路信号線端子パッドとが直接接触されることでなされる。
【００１２】
図４は、本発明による超高周波信号伝送用同軸ケーブル雄コネクタ２０とコネクタソケット２２５とを底面から見た底面斜視図である。図５は、本発明が適用される超高周波信号伝送用同軸ケーブルコネクタとＰＣＢ２１５に装着されたコネクタソケット２２５との一例の分離斜視図である。図４と図５とを参照すれば、雄コネクタ２０の底面にケーブルの信号線端子２５５が形成されている。コネクタソケット２２５は、同軸ケーブル雄コネクタ２０と締結される締結部２２２を備え、印刷回路基板（ＰＣＢ）２１５の表面に実装（ｓｕｒｆａｃｅ  ｍｏｕｎｔｅｄ）されるＳＭＤ（ｓｕｒｆａｃｅ  ｍｏｕｎｔ  ｄｅｖｉｃｅｓ）方式、またはＰＣＢを貫通するＳＩＰ（ｓｉｎｇｌｅ  ｉｎ−ｌｉｎｅ  ｐａｃｋａｇｅ）、ＤＩＰ（ｄｕａｌ  ｉｎｌｉｎｅ  ｐａｃｋａｇｅ）、ＱＩＰ（ｑｕａｄ  ｉｎ−ｌｉｎｅ  ｐａｃｋａｇｅ）などで装着され、ＰＣＢの表面実装方式と貫通方式とを混用して装着される。また、コネクタソケット２２５は、別個の部品ではないＰＣＢと一体に形成されうる。
【００１３】
超高周波信号伝送用同軸ケーブル雄コネクタ２０のハウジング２７０、２８０、２９０が、ＰＣＢ２１５に実装されたコネクタソケット２２５に挿入されて締結される時、ケーブル信号線端子２５５は、同軸ケーブル信号線端子２５５が収容される収容部材を経ずに、ＰＣＢ２１５に形成された回路信号線の端子パッド２１４と直接（ｄｉｒｅｃｔ）接触される。図４に示したように、ＰＣＢ２１５に実装されるコネクタソケット２２５には、ケーブル信号線端子２５５が収容される収容部材を無くすことにより、コネクタソケットを単純化し、また、雌コネクタに該当する超高周波信号伝送用同軸ケーブル雄コネクタ２０との締結高さを最小にすることで小型化される。本発明が適用される超高周波信号伝送用同軸ケーブルコネクタは、ＲＦ信号、電源などを含む電気信号をＰＣＢの信号や電源と連結し、テーブルＰＣ、ラップトップＰＣ、５Ｇスマートフォン、家電（ＴＶ、冷蔵庫、洗濯機などの家電製品）など小型化が要求される多様な電子装置に適用することができる。
【００１４】
本発明による超高周波信号伝送用同軸ケーブル雄コネクタは、印刷回路基板（ＰＣＢ）に設けられたコネクタソケットに収容されて、複数の同軸ケーブルと印刷回路基板（ＰＣＢ）の回路信号線とを連結し、複数の同軸ケーブル２４０及び遮蔽缶２７０、２８０、２９０を含んでなる。図６は、本発明による超高周波信号伝送用同軸ケーブル雄コネクタ２０に連結される同軸ケーブル３０の一例を示したものである。前記複数の同軸ケーブルを構成する各同軸ケーブルは、外皮２４０、外部導体２３０及び誘電体２２０がそれぞれ異なる長さほど剥がれて、所定長さの内部導体２１０が露出され、前記露出された内部導体２１０の端子は、ＰＣＢ２１５に形成された信号線端子パッド２１４と直接接触する。すなわち、図４及び図５に示したように、下部遮蔽部材２７０の底面にＰＣＢ２１５に形成された信号線端子パッド２１４と直接接触する同軸ケーブル内部導体端子２５５が形成されている。
【００１５】
図６を参照すれば、同軸ケーブル３０は、信号線として使われる内部導体２１０、内部導体２１０の電磁波を遮蔽（ｓｈｉｅｌｄ）し、アルミニウム、銅などで作られる外部導体２３０、内部導体２１０と外部導体２３０とを絶縁させ、分離する誘電体２２０、外部導体２３０を保護する外皮（ジャケット）からなる。内部導体２１０は、ＤＣからマイクロ波、ミリ波まで使用可能であり、約５０ＧＨｚ以上の超高周波信号も伝送可能である。コネクタソケットは、前記印刷回路基板（ＰＣＢ）に設けられ、前記同軸ケーブルマルチコネクタのハウジングである遮蔽缶を収容して、前記初高周波信号伝送用同軸ケーブル雄コネクタと締結される。
【００１６】
図７は、本発明による超高周波信号伝送用同軸ケーブル雄コネクタ２０を構成するエレメントの一例を示したものであって、本発明による超高周波信号伝送用同軸ケーブル雄コネクタ２０は、同軸ケーブル３０、遮蔽缶２７０、２８０、２９０を含み、アダプタ部４０をさらに含みうる。同軸ケーブル３０は、外皮２４０、外部導体２３０及び誘電体２２０が一部ストリップ（ｓｔｒｉｐ）されている。複数の同軸ケーブル３０を構成する同軸ケーブルのそれぞれの外部導体２３０は、遮蔽缶２７０、２８０、２９０と連結される。遮蔽缶２７０、２８０、２９０は、同軸ケーブル３０を収容、保護、及び固定させ、同軸ケーブルの内部導体２１０から発生する電磁波を遮蔽する。遮蔽缶２７０、２８０、２９０は、下部遮蔽部材２７０、上部遮蔽部材２８０、前面遮蔽部材２９０のそれぞれが結合されて構成されるが、図１１に示したように、第１遮蔽部材３１０、第２遮蔽部材３２０のように２つの部品からなり、図１２に示したように、前記遮蔽缶の上部、下部及び前面が一体に形成されうる。
【００１７】
アダプタ部４０は、複数のアダプタからなり、アダプタ４２は、同軸ケーブル３０の内部導体２１０がＰＣＢ２１５に形成された回路信号線端子パッド２１４との連結を容易にしながら、遮蔽缶２７０、２８０、２９０、３１０、３２０、４１０によって遮蔽が容易になる形状からなり、導体部２５０と誘電体部２６０とからなりうる。導体部２５０の一端は、ＰＣＢ２１５の信号線端子パッド２１４と接触されて連結され、他端は、同軸ケーブル３０の内部導体である信号線２１０が収容されて連結される。アダプタ４２にケーブルの信号線である内部導体が収容されて連結されれば、前記導体部２５０の端部が、図４のケーブル信号線端子２５５になって、ＰＣＢ２１５の信号線端子パッド２１４と接触されて連結される。誘電体部２６０は、導体部２５０が遮蔽缶に収容される時、導体部２５０と遮蔽缶２７０、２８０、２９０、３１０、３２０、４１０とを分離させる役割を果たす。
【００１８】
遮蔽缶２７０、２８０、２９０、３１０、３２０、４１０の内部は、単数または複数の同軸ケーブルの内部導体２１０とそれぞれ対応して連結されたアダプタ４２が収容される円筒状からなる内部導体収容部２７２またはアダプタ収容部２７２を備える。内部導体収容部２７２は、アダプタがない場合には、露出された内部導体が収容され、下部遮蔽部材２７０、上部遮蔽部材２８０及び前面遮蔽部材２９０が結合されれば、露出された各内部導体は互いに分離され、遮蔽される遮蔽壁（ｗａｌｌ）が形成される。アダプタ収容部２７２は、アダプタがある場合、内部導体と連結されたアダプタ４２が収容され、下部遮蔽部材２７０、上部遮蔽部材２８０及び前面遮蔽部材２９０が結合されれば、各アダプタは互いに分離され、遮蔽される遮蔽壁が形成される。
【００１９】
図８は、図２に示された本発明による超高周波信号伝送用同軸ケーブル雄コネクタ２０のＶＩＩ−ＶＩＩ線に沿って見た断面図であり、図９は、図２に図示された超高周波信号伝送用同軸ケーブル雄コネクタ２０のＶＩＩ−ＶＩＩ線に沿って見た断面図である。図８及び図９を参照すれば、同軸ケーブル２１０、２２０、２３０、２４０とアダプタ２５０、２６０が遮蔽缶２７０、２８０、２９０によって収容、保護、及び遮蔽され、同軸ケーブルマルチコネクタ２０がＰＣＢ２１５に実装されたコネクタソケット２２５に挿入されて締結される。特に、図９は、下部遮蔽部材２７０、上部遮蔽部材２８０及び前面遮蔽部材２９０が結合されれば、各アダプタは互いに分離され、遮蔽される遮蔽壁（ｓｈｉｅｌｄｉｎｇ  ｗａｌｌ）２７５が形成されることを示している。
【００２０】
図１０は、本発明による同軸ケーブルマルチコネクタの遮蔽缶が３つの部品からなる第１実施形態を組み立てる過程を示している。図１０を参照すれば、ストリップされていない同軸ケーブル６０をストリップした後、ストリップされた同軸ケーブル３０をアダプタ部４０と連結し、アダプタ部４０と連結された同軸ケーブル５０を下部遮蔽部材２７０に載置して上部遮蔽部材２８０と前面遮蔽部材２９０とを結合する。
【００２１】
下部遮蔽部材２７０は、前記遮蔽缶の下部に位置し、前記同軸ケーブルの露出された内部導体を収容し、前記露出された内部導体端部２５５が位置する。上部遮蔽部材２８０は、下部遮蔽部材２７０に収容された同軸ケーブルの露出された内部導体を覆う。前面遮蔽部材２９０は、前記遮蔽缶の前面に位置し、前記下部遮蔽部材２７０及び上部遮蔽部材２８０と結合して、前記同軸ケーブルの露出された内部導体を遮蔽する。
【００２２】
図１１は、本発明による超高周波信号伝送用同軸ケーブル雄コネクタの遮蔽缶が２つの部品からなる第２実施形態を組み立てる過程を示している。図１１を参照すれば、ストリップされていない同軸ケーブル６０をストリップした後、ストリップされた同軸ケーブル３０をアダプタ部４０と連結し、アダプタ部４０と連結された同軸ケーブル５０を第１遮蔽部材３１０に載置して第２遮蔽部材３２０と結合する。第１遮蔽部材３１０は、遮蔽缶の下部に位置し、前記同軸ケーブルの露出された内部導体を収容し、前記同軸ケーブルの露出された内部導体の端部２５５が位置する。
【００２３】
図１２は、本発明による超高周波信号伝送用同軸ケーブル雄コネクタの遮蔽缶が一対からなる第３実施形態を組み立てる過程を示している。図１２を参照すれば、ストリップされていない同軸ケーブル６０をストリップした後、ストリップされた同軸ケーブル３０をアダプタ部４０と連結し、アダプタ部４０と連結された同軸ケーブル５０を上部、下部、前面が一体に形成された遮蔽部材４１０に載置する。遮蔽部材４１０は、前記同軸ケーブルの露出された内部導体を遮蔽し、底面に前記同軸ケーブルの露出された内部導体の端部または内部導体端部と連結されたアダプタの端子２５５が位置する。
【００２４】
一方、本発明による超高周波信号伝送用同軸ケーブル雄コネクタは、信号線として使われる同軸ケーブルの露出された内部導体の電磁波の遮蔽を極大化することができる。具体的に、本発明による同軸ケーブルマルチコネクタに連結される複数の同軸ケーブルを構成する各同軸ケーブルの露出された内部導体間には、遮蔽缶内部の内部導体収容部またはアダプタ収容部の遮蔽壁によって、それぞれ分離されて個別的に遮蔽され、本発明による同軸ケーブルマルチコネクタ２０の遮蔽缶２７０、２８０、２９０、３１０、３２０、４１０は、同軸ケーブル３０の外部導体２３０と連結される。導体からなるコネクタソケット２２５は、ＰＣＢ２１５の接地と連結される。同軸ケーブルマルチコネクタ２０がＰＣＢ２１５に実装されたコネクタソケット２２５に挿入されて締結されれば、同軸ケーブル３０の外部導体２３０と連結された同軸ケーブルマルチコネクタ２０の遮蔽缶２７０、２８０、２９０、３１０、３２０、４１０は、ＰＣＢ２１５の接地と連結されたコネクタソケット２２５と接触によって連結されることにより、ＰＣＢ２１５の回路信号線端子パッド２１４と直接接触する同軸ケーブルマルチコネクタ２０の信号線端子の遮蔽を極大化することができる。
【００２５】
本発明は、図面に示された実施形態を参考にして説明されたが、これは例示的なものに過ぎず、当業者ならば、これより多様な変形及び均等な他実施形態が可能であるという点を理解できるであろう。したがって、本発明の真の技術的保護範囲は、特許請求の範囲の技術的思想によって決定されねばならない。
【符号の説明】
【００２６】
１１０：雄コネクタ
１１２：雄コネクタハウジング
１１４：電気信号線
１５０：雌コネクタ
１５２：雌コネクタハウジング
１５４：端子（ピン）収容部材
２０：同軸ケーブルマルチコネクタ
２１０：内部導体（信号線）
２１４：ＰＣＢ端子パッド
２１５：印刷回路基板（ＰＣＢ）
２２０：誘電体
２２２：締結部
２２５：コネクタソケット
２３０：外部導体（遮蔽）
２４０：外皮（ジャケット）
２５０：アダプタ導体部
２６０：アダプタ誘電体部
２７０：下部遮蔽部材
２７２：アダプタ収容部
２８０：上部遮蔽部材
２９０：前面遮蔽部材
３０：同軸ケーブル
３１０：第１遮蔽部材
３２０：第２遮蔽部材
４０：アダプタ部
４２：アダプタ
４１０：遮蔽部材
５０：アダプタ連結された同軸ケーブル
６０：ストリップされていない同軸ケーブル
【図１】
2020205255.tif 000003
【図２】
2020205255.tif 000004
【図３】
2020205255.tif 000005
【図４】
2020205255.tif 000006
【図５】
2020205255.tif 000007
【図６】
2020205255.tif 000008
【図７】
2020205255.tif 000009
【図８】
2020205255.tif 000010
【図９】
2020205255.tif 000011
【図１０】
2020205255.tif 000012
【図１１】
2020205255.tif 000013
【図１２】
2020205255.tif 000014